(57)【要約】【課題】虫の屋内深部への飛来を防ぐことが可能な誘虫装置を提供する。【解決手段】この誘虫装置１は、建物１０の側壁１１に設けられた出入口１１ａ近傍の内壁面１１ｂに取り付けられ、出入口１１ａを通って屋内に侵入した虫を誘引して捕獲するように構成されている。また、誘虫装置１は、誘虫効果のある光を放射して虫を誘引する直管ランプ３と、この直管ランプ３近傍を飛翔する虫を捕獲する粘着シート６と、直管ランプ３から拡がる光の屋外側の端部Ｌが、出入口１１ａを有する側壁１１に近接し且つ該側壁１１の内壁面１１ｂに略平行となるように、光の拡がり具合を調整するルーバ４とを備えている。【選択図】図３
2008167668.tif 000002
【特許請求の範囲】
【請求項１】
部屋の側壁に設けられた開口部近傍の屋内側の壁面に取り付けられ、前記開口部を通って屋内に侵入した虫を誘引して捕獲する誘虫装置であって、
誘虫効果のある光を放射して前記虫を誘引するとともに、放射光の屋外側の端部が、前記開口部を有する側壁に近接し且つ該側壁面に略平行となるように、前記放射光の拡がり具合を調整する光源部と、
この光源部近傍を飛翔する虫を捕獲する捕獲手段とを備えたことを特徴とする誘虫装置。
【請求項２】
前記光源部は、光を放射する光源と、前記光の拡がり具合を調整する遮光板とを含むことを特徴とする請求項１に記載の誘虫装置。
【請求項３】
前記光源と前記捕獲手段とを内部に収容するフレームを備え、
前記フレームの前記開口部側の側面が、前記光源から放射された光を前記開口部側に進行させるための開放面となっており、前記開放面と対向するフレームの反対側の側面が壁面となっていることを特徴とする請求項２に記載の誘虫装置。
【請求項４】
前記フレーム内の前記光源の前記開口部と反対側に、前記光源から放射された光を、前記開口部を設けた側壁の壁面に略平行となるように、前記開口部側に反射するための凹面鏡を設けたことを特徴とする請求項２または３に記載の誘虫装置。
【請求項５】
前記光源が、当該光源と対向する前記開口部の開口縁に沿う方向に延びる直管型の光源であることを特徴とする請求項２〜４のいずれか一項に記載の誘虫装置。
【請求項６】
前記光源から放射された光が屋内側にも進行することを特徴とする請求項２〜５のいずれか一項に記載の誘虫装置。
【請求項７】
前記光源部を、前記側壁面と略直交方向に複数並列配置したことを特徴とする請求項１〜６のいずれか一項に記載の誘虫装置。
【請求項８】
請求項１〜７のいずれか一項に記載の誘虫装置を、前記側壁面と略直交方向に複数並列配置したことを特徴とする誘虫システム。
【発明の詳細な説明】
【技術分野】
【０００１】
本発明は、誘虫効果のある光を放射して虫を誘引し捕獲する誘虫装置および誘虫システムに関する。
【背景技術】
【０００２】
従来、誘虫効果のある光を放射して虫を誘引し捕獲する誘虫装置が知られている。
【０００３】
このような誘虫装置は、例えば大きな出入口を有する建物の該出入口近傍の屋内側の壁面に取り付けられている。特許文献１には、光源から放射された光を反射板等で屋内方向に向けて反射し、光が屋外に漏れるのを防ぐ技術が開示されている。
【特許文献１】特開２００４−２６１１８０号公報
【発明の開示】
【発明が解決しようとする課題】
【０００４】
しかしながら、上記構成では、出入口から屋内に侵入した直後の虫には、直管ランプの光が反射板に遮られて見えないことがあり、この場合、虫が直管ランプの光を見過ごして屋内深くにまで侵入するおそれがある。
【０００５】
この発明は、上記のような課題を解決するためになされたものであり、開口部を通って侵入した虫を、侵入直後に光源に誘引して捕獲することで、虫の屋内深部への飛来を防ぐことが可能な誘虫装置および誘虫システムを提供することを目的とする。
【課題を解決するための手段】
【０００６】
請求項１の発明は、部屋の側壁に設けられた開口部近傍の屋内側の壁面に取り付けられ、前記開口部を通って屋内に侵入した虫を誘引して捕獲する誘虫装置であって、誘虫効果のある光を放射して前記虫を誘引するとともに、放射光の屋外側の端部が、前記開口部を有する側壁に近接し且つ該側壁面に略平行となるように、前記放射光の拡がり具合を調整する光源部と、この光源部近傍を飛翔する虫を捕獲する捕獲手段とを備えたことを特徴とするものである。
【０００７】
請求項２の発明は、請求項１に記載の誘虫装置において、前記光源部は、光を放射する光源と、前記光の拡がり具合を調整する遮光板とを含むことを特徴とするものである。
【０００８】
請求項３の発明は、請求項２に記載の誘虫装置において、前記光源と前記捕獲手段とを内部に収容するフレームを備え、前記フレームの前記開口部側の側面が、前記光源から放射された光を前記開口部側に進行させるための開放面となっており、前記開放面と対向するフレームの反対側の側面が壁面となっていることを特徴とするものである。
【０００９】
請求項４の発明は、請求項２または３に記載の誘虫装置において、前記フレーム内の前記光源の前記開口部と反対側に、前記光源から放射された光を、前記開口部を設けた側壁の壁面に略平行となるように、前記開口部側に反射するための凹面鏡を設けたことを特徴とするものである。
【００１０】
請求項５の発明は、請求項２〜４のいずれか一項に記載の誘虫装置において、前記光源が、当該光源と対向する前記開口部の開口縁に沿う方向に延びる直管型の光源であることを特徴とするものである。
【００１１】
請求項６の発明は、請求項２〜５のいずれか一項に記載の誘虫装置において、前記光源から放射された光が屋内側にも進行することを特徴とするものである。
【００１２】
請求項７の発明は、請求項１〜６のいずれか一項に記載の誘虫装置において、前記光源部を、前記側壁面と略直交方向に複数並列配置したことを特徴とするものである。
【００１３】
請求項８に記載の誘虫システムは、請求項１〜７のいずれか一項に記載の誘虫装置を、前記側壁面と略直交方向に複数並列配置したことを特徴とするものである。
【発明の効果】
【００１４】
請求項１の発明によれば、放射光の拡がり具合を積極的に調整し、光の屋外側の端部が、開口部を設けた側壁に近接し且つ該側壁面に略平行となるようにしたので、開口部を通って屋内に侵入した虫が、侵入直後に光源部の光に気付くことになる。これにより、開口部から侵入した虫を、その侵入直後に光源部に向けて飛翔させて捕獲手段により捕獲することができるので、虫が屋内深部にまで飛来するのを防ぐことができる。また、上記構成によれば、光源部から放射された光が屋外に漏れることがないので、屋外の虫が光源部に誘引されることで開口部から屋内に侵入してくることがない。これにより、屋外の虫が開口部を通って屋内に侵入する頻度を抑えることができる。
【００１５】
請求項２の発明によれば、光源から放射された光の拡がり具合を、遮光板により容易に調整することができる。
【００１６】
請求項３の発明によれば、フレーム内の光源に誘引された虫がフレーム内を通過してフレーム外部に飛び去るのを防ぐことができるので、虫の捕獲効率が良くなる。
【００１７】
請求項４の発明によれば、光源から開口部側へ放射される光の強度を高めることができるので、開口部から侵入した虫を、侵入直後に確実に光源に誘引することができる。
【００１８】
請求項５の発明によれば、開口縁に沿う方向に延びる直管型の光源により、開口部側に光を均一に放射することができるので、効率が良い。
【００１９】
請求項６の発明によれば、例えば強風等で虫が屋内に勢い良く侵入することに起因して、虫が屋内深部にまで侵入した場合、その屋内深部の虫が光源の光に気付きやすくなるので、当該屋内深部の虫を光源に向けて飛翔させて捕獲手段によって容易に捕獲することができる。
【００２０】
請求項７の発明によれば、虫が開口部の中央付近を通って屋内に侵入した場合に、開口部の間口が大きいことに起因して当該虫が開口部側方の光源部の光に気付かずに屋内深部にまで飛来するといった不具合の発生を抑制することができる。
【００２１】
請求項８の発明によれば、開口部から侵入した虫を、その侵入直後に捕獲手段により捕獲することができるので、虫が屋内深部にまで飛来するのを防ぐことができる。また、光源部から放射された光が屋外に漏れることがないので、屋外の虫が開口部を通って屋内に侵入する頻度を抑えることができる。
【発明を実施するための最良の形態】
【００２２】
以下、本発明の実施形態を図面に基づいて説明する。
【００２３】
図１は、本発明の第１実施形態による誘虫装置を出入口左方の内壁面に取り付けた状態を示した図であり、図２は、第１実施形態による誘虫装置の全体構成を示した斜視図である。また、図３は、第１実施形態による誘虫装置の内部構成を示した断面図である。
【００２４】
第１実施形態の誘虫装置１Ａは、図１に示すように、側壁１１に搬入口等の比較的大きな出入口（開口部）１１ａを有する倉庫等の建物（部屋）１０の内部に設けられるものである。
【００２５】
このような建物１０では、荷物の搬入・搬出が頻繁に行われることから、出入口１１ａが長時間に亘って開放状態となることがある。さらに、建物１０内の天井等には、内部照明として複数の照明器具が設けられているため、これらの照明器具から放射される光に屋外の虫が誘引され、当該虫が出入口１１ａを通って屋内に侵入してくることがある。
【００２６】
上記誘虫装置１Ａは、出入口１１ａを通って屋内に侵入した虫を誘引して捕獲するために設けられており、本実施形態では側壁１１の内壁面（屋内側の壁面）１１ｂのうち出入口１１ａの直左位置に取り付けられている。
【００２７】
以下、図２および図３を参照して誘虫装置１Ａの構成について述べる。
【００２８】
誘虫装置１Ａは、図２および図３に示すように、外枠としてのフレーム２と、このフレーム２内に収容される直管ランプ３、一対のルーバ４、反射板５（図３参照）、粘着シート６および一対の固定金具７（図３参照）とを備えている。なお、直管ランプ３は、本発明の「光源」に相当し、ルーバ４は、本発明の「遮光板」に相当し、粘着シート６は、本発明の「捕獲手段」に相当している。また、直管ランプ３とルーバ４とにより本発明の「光源部」が構成されている。
【００２９】
フレーム２は、側壁１１の内壁面１１ｂに取り付けられるベース２１と、このベース２１に装着されるカバー２２とにより構成されている。
【００３０】
ベース２１は、側面視でコの字状を呈しており、内壁面１１ｂに平行に配される平板状の取付部２１ａと、取付部２１ａの上端から垂直に立ち上がる上面部２１ｂと、取付部２１ａの下端から垂直に立ち上がる下面部２１ｃとを含んでいる。また、カバー２２は、上面部２１ｂの先端と下面部２１ｃの先端とを連絡するようにベース２１に装着されている。そして、フレーム２を内壁面１１ｂに取り付けた状態では、当該フレーム２の左右両側面が開放面となっている。
【００３１】
また、組立状態でフレーム２の内面を構成するベース２１のコの字の内側およびカバー２２の内面には、フレーム２内での光の不必要な乱反射を抑えるための黒色塗装が施されている。
【００３２】
直管ランプ３は、誘虫効果のある光を放射可能であり、前記光によって虫を誘引するための機能を有している。この直管ランプ３は、当該誘虫装置１と対向する出入口１１ａの左側の縁部に沿う方向（縦方向）に延びる姿勢で、フレーム２の上面視略中央位置に配されている。
【００３３】
ルーバ４は、平板状を呈しており、直管ランプ３の左右両側方に該直管ランプ３の延びる方向に沿って各々配されている。このルーバ４は、直管ランプ３から放射された光の拡がり具合を積極的に調整するために設けられている。具体的には、直管ランプ３から放射された光をルーバ４で遮ることによって、当該光の屋外側の端部Ｌ（図３参照）が、出入口１１ａを有する側壁１１に近接し且つ該側壁１１の内壁面１１ｂに略平行となるように、前記ルーバ４が位置決めされて配設されている。
【００３４】
反射板５は、直管ランプ３と取付部２１ａとの間に配されており、直管ランプ３から取付部２１ａの方向に放射された光を反射するための機能を有している。
【００３５】
粘着シート６は、直管ランプ３近傍を飛翔する虫を捕獲するために設けられており、カバー２２の内面、つまり組立状態でベース２１の取付部２１ａと対向する面に一対の固定金具７により取り付けられている。この粘着シート６は、虫等の付着により捕獲力が低下した際には、固定金具７をフレーム２から取り外すことで容易に新品に交換可能となっている。なお、捕獲手段としては、上記粘着シート６等の粘着式のもの以外の、例えば電撃式、水盤式、あるいは吸引式のものであってもよい。
【００３６】
第１実施形態では、上記のように、直管ランプ３から放射された光の拡がり具合をルーバ４によって積極的に調整し、光の屋外側の端部Ｌが、出入口１１ａを設けた側壁１１に近接し且つ該壁面１１の内壁面１１ｂに略平行となるようにしたので、出入口１１ａを通って屋内に侵入した虫が、侵入直後に直管ランプ３の光に気付くことになる。これにより、出入口１１ａから侵入した虫を、その侵入直後に直管ランプ３に向けて飛翔させて粘着シート６により捕獲することができるので、虫が屋内深部にまで飛来するのを防ぐことができる。また、直管ランプ３から放射された光が屋外に漏れることがないので、屋外の虫が直管ランプ３に誘引されることで出入口１１ａから屋内に侵入してくることがない。これにより、屋外の虫が出入口１１ａを通って屋内に侵入する頻度を抑えることができる。
【００３７】
また、第１実施形態では、上記のように、直管ランプ３を、出入口１１ａの左側の縁部に沿う方向に延びるように配したので、直管ランプ３から出入口１１ａ側に均一に光を放射することができ、効率が良い。
【００３８】
なお、誘虫装置１Ａを、出入口１１ａを囲むように該出入口１１ａの周囲に複数取り付けるのが好ましい。このように構成すれば、出入口１１ａから侵入した虫が上記複数の誘虫装置１Ａのいずれかの直管ランプ３の光に誘引されるので、虫の屋内深部への飛来をさらに抑えることができる。
【００３９】
そして、上記実施形態では、誘虫装置１Ａを側壁１１の内壁面１１ｂのうち出入口１１ａの直左位置に設置したが、これに限らず、図４に示すように、誘虫装置１０１Ａを内壁面１１ｂのうち出入口１１ａの直上位置に設置してもよいし、誘虫装置１０２Ａを、側壁１１に直交する側壁１２の内壁面（屋内側の壁面）１２ａのうち出入口１１ａに近い位置に設置してもよいし、誘虫装置１０３Ａを、側壁１１に直交する天井壁（図示せず）の下面（屋内側の壁面）のうち出入口１１ａに近い位置に設置してもよい。なお、誘虫装置１０１Ａ〜１０３Ａの構成は、誘虫装置１Ａの構成と略同一となっている。そして、誘虫装置１０２Ａの直管ランプ３およびルーバ４は、当該誘虫装置１０２Ａと対向する出入口１１ａの右側の開口縁に沿う縦方向に延びる姿勢となっており、誘虫装置１０１Ａおよび１０３Ａの各直管ランプ３および各ルーバ４は、当該誘虫装置１０１Ａおよび１０３Ａと対向する出入口１１ａの上側の開口縁に沿う横方向に延びる姿勢となっている。つまり、誘虫装置１０２Ａは、上記誘虫装置１Ａと同一姿勢で内壁面１２ａに取り付けられており、誘虫装置１０１Ａおよび１０３Ａは、誘虫装置１Ａを９０度回転した姿勢で各壁面に取り付けられている。
【００４０】
図５は、第２実施形態による誘虫装置の内部構成を示した断面図である。
【００４１】
第２実施形態の誘虫装置１Ｂは、図５に示すように、第１実施形態の誘虫装置１Ａと異なる形状のルーバ（遮光板）２０４を備えるとともに、第１実施形態における反射板５が省略されている。このルーバ２０４は、直管ランプ３から放射された光の拡がり具合を積極的に調整するための一対の遮光部２０４ａに加えて、直管ランプ３から取付部２１ａの方向に放射された光を反射するための反射部２０４ｂを有している。すなわち、この第２実施形態の誘虫装置１Ｂでは、ルーバ２０４が反射板を兼ねており、これによって部品点数を削減することが可能となっている。
【００４２】
図６は、第３実施形態による誘虫装置の内部構成を示した断面図である。
【００４３】
第３実施形態の誘虫装置１Ｃは、図６に示すように、上記第１および第２実施形態と異なる形状のフレーム３０２を備えるとともに、このフレーム３０２内に第１実施形態の反射板５に代えて凹面鏡８が設けられている。
【００４４】
フレーム３０２は、当該フレーム３０２の出入口１１ａ側（右側）の側面が、直管ランプ３から放射された光を出入口１１ａ側に進行させるための開放面となっている点では上記実施形態と同様であるが、フレーム３０２の左側の側面が、閉鎖された壁面２３となっている。
【００４５】
そして、上記凹面鏡８が、フレーム３０２内の直管ランプ３を左側（出入口１１ａと反対側）から包むように配設されている。この凹面鏡８は、直管ランプ３から放射された光を、側壁１１の内壁面１１ｂに略平行となるように出入口１１ａ側に反射することが可能な形状に形成されている。
【００４６】
第３実施形態では、上記のように、フレーム３０２の左側の側面が壁面２３となっているので、フレーム３０２内の直管ランプ３に誘引された虫がフレーム３０２内を通過してフレーム３０２外部に飛び去るのを防ぐことができる。これにより、虫の捕獲効率が良くなる。
【００４７】
また、第３実施形態では、上記のように、フレーム３０２内の直管ランプ３の左側に凹面鏡８を設けたので、直管ランプ３から出入口１１ａ側へ放射される光の強度を高めることができる。これにより、出入口１１ａから侵入した虫を、侵入直後に確実に直管ランプ３に誘引することができる。
【００４８】
図７は、第４実施形態による誘虫装置の内部構成を示した断面図である。
【００４９】
第４実施形態の誘虫装置１Ｄは、図７に示すように、上記第３実施形態と異なる位置に凹面鏡８が配設されている。すなわち、誘虫装置１Ｄでは、凹面鏡８が直管ランプ３を左上方から包むように配されている。また、直管ランプ３が第３実施形態に比べてフレーム４０２内の右寄りの位置に設けられているとともに、フレーム４０２の屋内側の右端部が第３実施形態のフレーム３０２に比べて左側に位置している。これによって、直管ランプ３から放射された光を凹面鏡８によって屋内方向に積極的に反射させている。
【００５０】
このように構成すれば、直管ランプ３から屋内方向へ放射される光の強度を高めることができるので、例えば強風等で虫が屋内に勢い良く侵入することに起因して、虫が屋内深部にまで侵入した場合、その屋内深部の虫が直管ランプ３の光に気付きやすくなるので、当該屋内深部の虫を直管ランプ３に向けて飛翔させて粘着シート６によって容易に捕獲することができる。
【００５１】
図８は、第５実施形態による誘虫装置を開口部周辺の壁面に取り付けた状態を示した図であり、図９は、第５実施形態による誘虫装置の内部構成を示した図である。
【００５２】
第５実施形態の誘虫装置１Ｅは、出入口１１ａが設けられた側壁１１と直交する側壁が、該出入口１１ａの近傍に存在する場合に、より好適に用いられる。すなわち、この誘虫装置１Ｅは、図８に示すように、出入口１１ａを有する側壁１１に直交する側壁１２，１４の内壁面１２ａ，１４ａにそれぞれ上下２段で設けられている。より具体的には、各誘虫装置１Ｅのフレーム５０２は、図９に示すように、側壁１２（１４）に埋設されている。このフレーム５０２内には、３本の直管ランプ３が、縦方向に延びる姿勢で当該建物１０の出入り方向（内壁面１１ｂと直交する方向）に所定間隔を隔てて並列配置されて収容されている。また、フレーム５０２内には、各直管ランプ３に対応する反射板５と粘着シート６とが配設されている。
【００５３】
そして、各直管ランプ３の出入口１１ａ側（図９では左側）には、該直管ランプ３から放射される光が、側壁１１の内壁面１１ｂに略平行となるように当該光を調整するためのルーバ５０４が設けられている。特に、最も側壁１１寄りの直管ランプ３に対応するルーバ５０４によって、前記直管ランプ３から放射された光が、当該光の屋外側の端部Ｌが側壁１１に近接し且つ該側壁１１の内壁面１１ｂに略平行となるように調整される。
【００５４】
このように構成された誘虫装置１Ｅによれば、虫が出入口１１ａの中央付近を通って屋内に侵入した場合に、出入口１１ａの間口が大きいことに起因して当該虫が出入口１１ａ側方の直管ランプ３の光に気付かずに屋内深部にまで飛来するといった不具合の発生を抑制することができる。
【００５５】
なお、第５実施形態では、誘虫装置１Ｅを側壁１２，１４に埋設したが、これに限らず、側壁１２，１４の内壁面１２ａ，１４ａに取り付けてもよい。
【００５６】
また、出入口１１ａの間口がかなり大きい場合には、図８および図９に示した構成以外に、例えば、図１０に示すような構成としてもよい。すなわち、上記実施形態による誘虫装置１Ａ（１Ｂ〜１Ｄ）を、側壁１２，１４の内壁面１２ａ，１４ａに出入り方向に沿って複数（図１０では３つ）並列配置し、且つ出入口１１ａの高さ方向と略等しくなるように縦方向に複数段（図１０では２段）重ねて配置してもよい。このように構成された誘虫システムにおいても、出入口１１ａの中央付近を通って屋内に侵入した虫が、出入口１１ａ側方の直管ランプ３の光に気付かずに屋内深部にまで飛来するのを抑制することができる。
【００５７】
また、上記実施形態では、本発明の「誘虫装置」を、出入口を有する倉庫等の建物に取り付ける誘虫装置に適用する例について示したが、これに限らず、倉庫以外の店舗や家屋、あるいは家屋内の部屋に取り付ける誘虫装置にも適用可能である。
【００５８】
また、上記実施形態では、ルーバによって光の拡がり具合を調整したが、これに限らず、例えば装置の外枠のフレームによって光の拡がり具合を調整してもよい。
【図面の簡単な説明】
【００５９】
【図１】本発明の第１実施形態による誘虫装置を出入口左方の内壁面に取り付けた状態を示した図である。
【図２】第１実施形態による誘虫装置の全体構成を示した斜視図である。
【図３】第１実施形態による誘虫装置の内部構成を示した断面図である。
【図４】第１実施形態による誘虫装置を出入口近傍の他の箇所に取り付けた状態を示した図である。
【図５】第２実施形態による誘虫装置の内部構成を示した断面図である。
【図６】第３実施形態による誘虫装置の内部構成を示した断面図である。
【図７】第４実施形態による誘虫装置の内部構成を示した断面図である。
【図８】第５実施形態による誘虫装置を開口部周辺の壁面に取り付けた状態を示した図である。
【図９】第５実施形態による誘虫装置の内部構成を示した図である。
【図１０】第１〜第４実施形態による誘虫装置を他の設置方法で開口部周辺の壁面に取り付けた状態を示した図である。
【符号の説明】
【００６０】
１  誘虫装置
２，３０２，４０２，５０２  フレーム
３  直管ランプ（光源、光源部）
４，２０４，５０４  ルーバ（遮光板、光源部）
６  粘着シート（捕獲手段）
８  凹面鏡
１０  建物（部屋）
１１，１２，１４  側壁
１１ａ  出入口（開口部）
１１ｂ，１２ａ，１４ａ  内壁面（屋内側の壁面）
【図１】
2008167668.tif 000003
【図２】
2008167668.tif 000004
【図３】
2008167668.tif 000005
【図４】
2008167668.tif 000006
【図５】
2008167668.tif 000007
【図６】
2008167668.tif 000008
【図７】
2008167668.tif 000009
【図８】
2008167668.tif 000010
【図９】
2008167668.tif 000011
【図１０】
2008167668.tif 000012